(57)【特許請求の範囲】
【請求項１】
台板上に固着される各板体にて物品収納容積を有する箱体を設けるとともに、該箱体前方に開口部を有し、該開口の左右の一部を覆うとともに台板上に固着立設される前板を設け、該前板に近接して左右に開閉可能なる開閉扉を設け、以上の構成による墓石用収納庫において、開閉扉下端を台板上面と非接触となるよう構成し、前板と開閉扉との間隙に、開閉扉もしくは前板の上縁から下縁に到る氷結緩和部材を設けるとともに、該氷結緩和部材を開閉扉もしくは前板に対して線接触による微少な接触面積可能となる形状にて形成したことを特徴とする墓石用収納庫における扉開閉構造。
【請求項２】
氷結緩和部材を、三角柱形状としてなる請求項１記載の墓石用収納庫における扉開閉構造。
【請求項３】
氷結緩和部材を、半円柱形状としてなる請求項１記載の墓石用収納庫における扉開閉構造。
【発明の詳細な説明】
【技術分野】
【０００１】  この発明は、墓石に備わる収納庫に用いられる扉の開閉構造に関する。
【背景技術】
【０００２】  従来より、種々の墓石用収納庫が利用されているが、本発明にて示すように、開閉扉の下端を台板と非接触とした扉構造を有する墓石用収納庫は見当たらない。
【発明の概要】
【発明が解決しようとする課題】
【０００３】  従来より、墓石は石材による各物品の集合物として種々の形式が用いられており、香炉や収納庫を有するものも多い。香炉は香を焚いたりする場合などに用いられ、収納庫は墓参時に用いる用具などをあらかじめ収納しておく目的に用いられる。
この収納庫は、石材にて作られる箱状物であり、前面に開閉扉があってこの扉を開いて収納物を取り出しまた収納する。扉の開閉は引き戸式であり、台板上に設けた所定巾の溝内を扉がその重量で押圧接触しつつスライドする仕組みであるが、溝には使用の経過とともにホコリや水が溜まって汚れてくる。また、扉下端と溝の接触箇所が互いに石材であるために、摩擦による不快音が発生し、かつ溝内の堆積物による扉の引っかかりにて開閉の円滑を阻害する場合があった。さらに、冬季降雪地域では別の問題がある。
開閉扉前方に近接して前板がある場合、扉開時にはこの前板に扉の大部分が隠れることになり、扉閉時には扉の一部が前板に隠れている。例えば雨水が降り、気温低下にて氷点下となると、溝内に溜まった雨水が氷結して扉が開かないという問題が発生する。一度氷結すると、人為的に溶かすなどの手間が発生する。また、前板と扉との距離が微少であれば、ここにも雨水が入り込んで氷結する恐れがあり、かつ、この隙間から雪や雨水が収納庫内に侵入して、収納されている用具等を汚すなどの問題があり、このような現状を解決するための有効な手段が見いだされていない。
本発明は以上に鑑み、墓石用収納庫における新規かつ有用なる扉開閉構造を提供するべく発明されたものである。
【課題を解決するための手段】
【０００４】  課題を解決する手段として本発明は以下の構成とした。
すなわち、台板上に固着される各板体にて物品収納容積を有する箱体を設けるとともに、該箱体前方に開口部を有し、該開口の左右の一部を覆うとともに台板上に固着立設される前板を設け、該前板に近接して左右に開閉可能なる開閉扉を設け、以上の構成による墓石用収納庫において、開閉扉下端を台板上面と非接触とするよう構成する。
本発明は以上の構成よりなる墓石用収納庫における扉開閉構造である。
【発明の効果】
【０００５】  本発明は下記の効果を有する。
１．開閉扉下端が台板上方に位置して台板と非接触にて開閉するために、従来法における  扉下端の石材同士による摩擦がなく、スムースな静音開閉をすることができ、また、溝  内に溜まった水の氷結による扉開閉不能の恐れがない。
２．スライドレールを用いた開閉とすれば、その開閉摩擦は微少であるために小労力にて  開閉することができ、また、扉の急な動きがなく、けがや石材の破損を防止できる。
３．氷結緩和部材を設けることにて、前板と開閉扉の間隙に雨水等が入り込むことなく、  また、入り込んだとしてもこの氷結緩和部材と前板とは線接触となるために、扉開閉の  氷結による開閉困難度を緩和することができる。
【図面の簡単な説明】
【０００６】
【図１】  本発明の構造説明用斜視図（上板除去時・一部略）
【図２】  本発明の要部構造説明図
【図３】  本発明の要部構造説明図（拡大平面視）
【図４】  本発明の要部構造説明図（拡大平面視）
【図５】  本発明の設置状態例図
【発明を実施するための最良の形態】
【０００７】  以下、本発明の実施形態について説明する。
図において、１は台板で、所定厚の長方形石板である。２は後板で、台板後部上面に固着立設される。３は側板で、その内面に凸部３ａを有する変形石材であり、後板を挟むように台板上に一対が固着立設される。４は前板で、側板の前面および台板上に固着立設される一対の石板であって、台板の正面視両端にその端部を一致させて設けられる。５は上板で、側板と後板および前板を覆うサイズの石板である。
６は金属板によるスライドレール取り付け板で、側面視略Ｌ形であって側板上面に図２にて示すごとく取り付けられる。７は市販のスライドレールで、外側に位置するアウターレール内に鋼球をリテーナーを介して保持し、鋼球にインナーレールが接触保持され、アウターレールとインナーレールとが互いにスライド可能に構成されたものであり、前記のスライドレール取り付け板に取り付けられる。８は一対の扉保持板で、側面視において下端を前方に直角に折曲してなる金属板であり、その上部は前記スライドレールに取り付けられる。
９は開閉扉で、一対の長方形石板であって、前記の扉保持板に取り付けられる。１０は開閉扉前面適所に設けられる凹部である。１１は氷結緩和部材であり、三角柱形状の合成樹脂製棒体であって、前記前板の端部近傍裏面における上縁から下縁に向けて縦に固着される。この氷結緩和部材は開閉扉前面に軽く押圧接触している。以上の各部の取り付けは、接着、ビス止めその他の手段から任意に選択して用いられる。【０００８】  本発明装置の配置例を図５にて示すと、芝台２１上に中台２２、中台上に上台２３があってこの上台上に竿石２４が設けられ、この竿石に文字が刻設される。
芝台に挟まれるようにして本発明の収納庫が設けられ、この図ではさらに水鉢２５とローソク立て２６が設置されている。
既述のように、収納庫内には墓参時に用いる用具等が収納されている。
この収納物を取り出しまた収納するときに、開閉扉を開閉することとなるが、従来法では溝内に押圧接触している開閉扉を左右にスライドさせる方式のために、既述の種々の問題が発生するのである。
本発明では開閉扉は既例において説明したように、スライドレールに沿って開閉するために小労力にてスムースな開閉ができ、また開閉扉下端は台板上面よりわずかに上方に位置している。従って、開閉扉は台板と非接触にて動くために、開閉のための溝を要せず、既述の種々の利点を有するものとなったのである。なお、既述の凹部９は扉開閉のための指掛け部分である。【０００９】  従来方式では扉用の溝が台板上に設けられているために、この溝に溜まった雨水が氷結する場合がある。すると扉下部は溝内の氷と一体化するために、人力では扉を開くことはきわめて困難となり、加温等の手段にて氷を溶かす以外に手段がなく、多くの手間と時間を必要とする。これに対し本発明は、そもそも溝がないためにこのような事態は発生しない。扉氷結については別の問題がある。前板と開閉扉とはその移動のために微少な間隙を有している。この間隙に雨水が降りかかると、毛細管現象にてその隙間に水が入り込み、氷点下となれば氷結して、やはり扉開閉に支障となる。この問題を解決するために、本発明は氷結緩和部材を設けている。
この氷結緩和部材の例として、本発明では三角柱や半円柱を用いた例を示している。
三角柱利用の場合は、図にて示すようにその底辺を前板に取り付け、先端の鋭角部分を開閉扉に軽く押圧接触するものとした。従って、前板と開閉扉は扉の上縁から下縁に至る線接触による微少な接触面積となるために、たとえ氷結したとしても、人力にて容易に開閉することができて、従来手段では得られなかった氷結に対する効果が得られるのである。【００１０】  以上、本発明について記したが、本発明は墓石用収納庫において、従来の溝を用いる扉開閉構造を用いずに、吊下による扉開閉構造とし、扉下端と台板との間に毛細管現象の発生を防ぐ程度の若干の隙間を設けて、台板と非接触にての扉開閉を可能としたところにその特徴を有するものである。従って、既述のように溝に伴う種々の問題を解決できるものとなったのである。また、氷結緩和部材を設けることにて、前板と開閉扉間の氷結問題も解消できるものとなり、従来にない有用なる墓石用収納庫における扉開閉構造が得られるものとなったのである。
なお、既述の例では、氷結緩和部材を三角柱や半円柱として表現したが、これに限らず、多角柱その他近似の部材としてもよく、また、複数本を並設して用いてもよい。
該緩和部材の材質としては、既例で用いた合成樹脂以外に、ゴム、石材その他の非吸水性素材を適宜に用いることができ、石材を用いる場合は接着以外に、扉と一体成形としてもよい。【００１１】  また、既例においては移動しない前板側に氷結緩和部材を設けたが、逆に開閉扉側に該緩和部材を設けてもよいが、扉閉時にこの緩和部材が露出することのないよう、その取り付け位置を選択することが肝要である。
図示の例では、前板の奥に開閉扉を設けたが、逆に前板の前に開閉扉を設ける方式にても、本発明の適用が可能である。なお、台板を前方に向けて緩やかに下降する傾斜面とすれば、万一外部からの雨水の侵入があったとしても、その侵入雨水を傾斜面に沿って外部へ流出させることができて便利である。
以上のごとく、本発明によって扉開閉に関わる諸問題をクリヤーできる、新規かつ有用なる手段を得ることができる。
【符号の説明】
【００１２】  １    台板
２    後板
３    側板
３ａ  凸部
４    前板
５    上板
６    スライドレール取り付け板
７    スライドレール
８    扉保持板
９    開閉扉
１０  凹部
１１  氷結緩和部材（三角柱）
１２  氷結緩和部材（半円柱）
２１  芝台
２２  中台
２３  上台
２４  竿石
２５  水鉢
２６  ローソク立て
【図１】
0005983961.tif 000002
【図２】
0005983961.tif 000003
【図３】
0005983961.tif 000004
【図４】
0005983961.tif 000005
【図５】
0005983961.tif 000006